(57)【要約】【課題】簡単かつ安全に精度良く施工することができる木造住宅における床の施工方法と、それに用いられる床パネルとを提供する。【解決手段】長尺な一対のアングル材１１と、並行する一対のアングル材１１間に、アングル材１１の長手方向に沿って横並びで設けられる複数枚のＡＬＣ板１２と、ＡＬＣ板１２上に設けられ、ＡＬＣ板１２の周縁にはみ出す床下地板１３とからなり、アングル材１１とＡＬＣ板１２と床下地板１３とは、ビス１４固定によって一体化され、部分的に吊りボルト１５が設けられ、吊りボルト１５ａによって吊り下げ可能となされた床パネル１。梁２の側面に受け金具３を固定し、梁２と梁２との間に、床パネル１の遮音材１２の部分を落とし込んで、受け金具３に床パネル１の遮音材１２の部分を支持させ、床パネル１の上面周縁にはみ出した床下地板１３の部分を、梁２の上面に釘５固定する床の施工方法。【選択図】  図１
2004150166.tif 000002
【特許請求の範囲】
【請求項１】
木造住宅の床に渡された梁の側面に、受け金具を固定しておき、この梁と梁との間に、複数枚の遮音材と床下地材とを複合一体化して構成された床パネルの遮音材の部分を落とし込んで、この受け金具に床パネルの遮音材の部分を支持させるとともに、この床パネルの上面周縁にはみ出した床下地板の部分を、梁の上面に釘固定することを特徴とする床の施工方法。
【請求項２】
長尺に形成され、梁の側面に固定された受け金具上に載置可能となされた一対のアングル材と、
並行する一対のアングル材間に、アングル材の長手方向に沿って横並びで設けられてなる複数枚のＡＬＣ板と、
これらのＡＬＣ板上に設けられ、ＡＬＣ板の周縁にはみ出すようになされた床下地板とからなり、
アングル材とＡＬＣ板と床下地板とは、ビス固定によって一体化されるとともに、部分的に吊りボルトが設けられ、この吊りボルトによって吊り下げ可能となされた床パネルを用いる請求項１記載の床の施工方法。
【請求項３】
長尺に形成され、梁の側面に固定された受け金具に係止可能となされた一対のチャンネル材と、
並行する一対のチャンネル材上に、チャンネル材の長手方向に沿って横並びで設けられてなる複数枚のＡＬＣ板と、
これらのＡＬＣ板上に設けられ、ＡＬＣ板の周縁にはみ出すようになされた床下地板とからなり、
チャンネル材とＡＬＣ板と床下地板とは、ビス固定によって一体化されるとともに、部分的に吊りボルトが設けられ、この吊りボルトによって吊り下げ可能となされた床パネルを用いる請求項１記載の床の施工方法。
【請求項４】
矩形に枠組みされた枠材の底面に底板が設けられて有底矩形状の枠体が形成され、この枠体内に廃材が充填され、その上面には、枠体の周縁にはみ出すように床下地板が設けられてなる床パネルを用いる請求項１記載の床の施工方法。
【請求項５】
長尺に形成され、梁の側面に固定された受け金具上に載置可能となされた一対のアングル材と、
並行する一対のアングル材間に、アングル材の長手方向に沿って横並びで設けられてなる複数枚のＡＬＣ板と、
これらのＡＬＣ板上に設けられ、ＡＬＣ板の周縁にはみ出すようになされた床下地板とからなり、
アングル材とＡＬＣ板と床下地板とは、ビス固定によって一体化されるとともに、部分的に吊りボルトが設けられ、この吊りボルトによって吊り下げ可能となされたことを特徴とする床パネル。
【請求項６】
長尺に形成され、梁の側面に固定された受け金具に係止可能となされた一対のチャンネル材と、
並行する一対のチャンネル材上に、チャンネル材の長手方向に沿って横並びで設けられてなる複数枚のＡＬＣ板と、
これらのＡＬＣ板上に設けられ、ＡＬＣ板の周縁にはみ出すようになされた床下地板とからなり、
チャンネル材とＡＬＣ板と床下地板とは、ビス固定によって一体化されるとともに、部分的に吊りボルトが設けられ、この吊りボルトによって吊り下げ可能となされたことを特徴とする床パネル。
【発明の詳細な説明】
【０００１】
【発明の属する技術分野】
本発明は、木造住宅における床の施工方法と、それに用いられる床パネルとに関するものである。
【０００２】
【従来の技術】
従来より、鉄骨系住宅においては、床梁上にＡＬＣ板を敷設して床面を構成することが行われており、木造住宅においては、床梁間に渡された根太材上に床下地板を敷設して床面を構成することが行われていた。
【０００３】
本願発明者等は、上記したように、鉄骨系住宅に用いられていた遮音性に優れたＡＬＣ板を、木造住宅の床面の構成に用いるために、図７に示すように、床梁ａの側面に受け金具ｂを設け、この受け金具ｂ間に、床梁ａに沿う長尺のアングル材ｃを設け、このアングル材ｃ間に落とし込むようにＡＬＣ板ｄを敷設した後、これらＡＬＣ板ｄ上に床下地板ｅを敷設して梁ａの上面にこれら床下地板ｅを固定するいといったＡＬＣ仕様の床構造を提案した。
【０００４】
【発明が解決しようとする課題】
しかし、上記従来のように、アングル材ｃ間に落とし込むようにしてＡＬＣ板ｄを敷設する場合、ＡＬＣ板ｄの重量があり、かつ、梁ａ上での敷設作業になってしまうので、作業の安全性を確保し、かつＡＬＣ板ｄの割れ、欠けなどの損傷を防止するためには、一枚毎に手作業で慎重に敷設しなければならない。そのため、多くの工数を要することとなり、施工コストが嵩むといった不都合を生じることとなる。
【０００５】
また、アングル材ｃの取付精度や、ＡＬＣ板ｄの製品精度により、敷設した後のＡＬＣ板ｄの表面を、梁ａの上面と面一にすることが難しく、調整に非常に手間がかかるといった不都合を生じることとなる。
【０００６】
本発明は、係る実情に鑑みてなされたものであって、簡単かつ安全に精度良く施工することができる木造住宅における床の施工方法と、それに用いられる床パネルとを提供することを目的としている。
【０００７】
【課題を解決するための手段】
上記課題を解決するための本発明の床の施工方法は、木造住宅の床に渡された梁の側面に、受け金具を固定しておき、この梁と梁との間に、複数枚の遮音材と床下地材とを複合一体化して構成された床パネルの遮音材の部分を落とし込んで、この受け金具に床パネルの遮音材の部分を支持させるとともに、この床パネルの上面周縁にはみ出した床下地板の部分を、梁の上面に釘固定するものである。
【０００８】
また、上記床の施工方法において、長尺に形成され、梁の側面に固定された受け金具上に載置可能となされた一対のアングル材と、並行する一対のアングル材間に、アングル材の長手方向に沿って横並びで設けられてなる複数枚のＡＬＣ板と、これらのＡＬＣ板上に設けられ、ＡＬＣ板の周縁にはみ出すようになされた床下地板とからなり、アングル材とＡＬＣ板と床下地板とは、ビス固定によって一体化されるとともに、部分的に吊りボルトが設けられ、この吊りボルトによって吊り下げ可能となされた床パネルを用いるものである。
【０００９】
さらに、上記床の施工方法において、長尺に形成され、梁の側面に固定された受け金具に係止可能となされた一対のチャンネル材と、並行する一対のチャンネル材上に、チャンネル材の長手方向に沿って横並びで設けられてなる複数枚のＡＬＣ板と、これらのＡＬＣ板上に設けられ、ＡＬＣ板の周縁にはみ出すようになされた床下地板とからなり、チャンネル材とＡＬＣ板と床下地板とは、ビス固定によって一体化されるとともに、部分的に吊りボルトが設けられ、この吊りボルトによって吊り下げ可能となされた床パネルを用いるものである。
【００１０】
さらにまた、上記床の施工方法において、矩形に枠組みされた枠材の底面に底板が設けられて有底矩形状の枠体が形成され、この枠体内に廃材が充填され、その上面には、枠体の周縁にはみ出すように床下地板が設けられてなる床パネルを用いるものである。
【００１１】
また、上記課題を解決するための本発明の床パネルは、長尺に形成され、梁の側面に固定された受け金具上に載置可能となされた一対のアングル材と、並行する一対のアングル材間に、アングル材の長手方向に沿って横並びで設けられてなる複数枚のＡＬＣ板と、これらのＡＬＣ板上に設けられ、ＡＬＣ板の周縁にはみ出すようになされた床下地板とからなり、アングル材とＡＬＣ板と床下地板とは、ビス固定によって一体化されるとともに、部分的に吊りボルトが設けられ、この吊りボルトによって吊り下げ可能となされたものである。
【００１２】
さらに、上記課題を解決するための本発明の床パネルは、長尺に形成され、梁の側面に固定された受け金具に係止可能となされた一対のチャンネル材と、並行する一対のチャンネル材上に、チャンネル材の長手方向に沿って横並びで設けられてなる複数枚のＡＬＣ板と、これらのＡＬＣ板上に設けられ、ＡＬＣ板の周縁にはみ出すようになされた床下地板とからなり、チャンネル材とＡＬＣ板と床下地板とは、ビス固定によって一体化されるとともに、部分的に吊りボルトが設けられ、この吊りボルトによって吊り下げ可能となされたものである。
【００１３】
【発明の実施の形態】
以下、本発明の実施の形態を図面を参照して説明する。
【００１４】
図１は床パネル１の施工方法の概略を示し、図２および図３は同床パネル１の施工方法に使用される床パネル１を示し、図４は同床パネル１の施工完了状態を示している。
【００１５】
すなわち、本発明の床の施工方法は、梁２の側面に受け金具３を固定しておき、この梁２と梁２との間に、床パネル１を落とし込んで構成される。
【００１６】
床パネル１は、一対のアングル材１１と、複数枚のＡＬＣ板１２および床下地板１３とを、ビス１４とボルトナット１５とで一体化して構成されている。
【００１７】
アングル材１１は、一辺の長さが約７５ｍｍの断面Ｌ字状に折り曲げられた長さ３８９０ｍｍ、厚さ５ｍｍの一対の鋼材から構成されている。
【００１８】
ＡＬＣ板１２は、厚さ１００ｍｍ、長さ１８８０ｍｍとなされており、幅は、５００ｍｍのものが６枚、５７０ｍｍのものが１枚、３２０ｍｍのものが１枚用いられる。これらのＡＬＣ板１２は、長さ方向を突き合わせるようにして横並びに設けられ、これによって横並びとなった幅方向の下角部に、上記一対のアングル材１１が設けられる。
【００１９】
床下地板１３は、厚さ２４ｍｍ、長さ約２ｍ、幅約１ｍとなされた４枚の合板が用いられる。これらの床下地板１３は、長さ方向を突き合わせるようにして横並びに設けられ、上記横並びに設けられたＡＬＣ板１２の表面に設けられる。この際、ＡＬＣ板１２と接することとなる床下地板１３の裏面には、防湿シート１６を設けておき、防湿シート１６の周辺部は、床下地板１３の裏面にステープル固定しておく。また、横並びに設けられたＡＬＣ板１２よりも、横並びに設けた床下地板１３の方が総面積が大きくなるので、床下地板１３は、ＡＬＣ板１２の周縁に均等に突出するように設けられる。
【００２０】
ビス１４は、アングル材１１とＡＬＣ板１２との間、ＡＬＣ板１２と床下地板１３との間をそれぞれ固定するために設けられる。このビス１４は、設ける場所に応じた所望のサイズ、形状のものが用いられる。
【００２１】
ボルトナット１５は、アングル材１１、ＡＬＣ板１２および床下地板１３を貫通してアングル材１１と床下地板１３との間を上下から固定し、アングル材１１と、ＡＬＣ板１２と、床下地板１３とを固定一体化するようになされている。また、このようにして固定されるボルトナット１５のうち、四個所のボルトナット１５は、吊りボルトナット１５ａが用いられている。この場合、吊りボルトナット１５ａは、床下地板１３側にナットが来る場合には上記ボルトナット１５のナット部分にアイナットを用い、床下地板１３側にボルトが来る場合には上記ボルトナット１５のボルト部分にアイボルトを用いて構成される。すなわち、床下地板１３の上方から吊り下げることができるようになされていればよい。
【００２２】
このようにして構成される床パネル１は、アングル材１１、ＡＬＣ板１２および床下地板１３をビス１４とボルトナット１５とによって一体化しているので、今まで個々に取り扱っていたそれぞれのＡＬＣ板１２や床下地板１３を、ひとまとめにして取り扱うことができる。しかも、床パネル１は、吊りボルトナット１５ａの部分にロープ４を掛けて吊り上げることによって所望の場所へ搬送することができる。
【００２３】
したがって、床を施工する場合は、あらかじめ梁２の側面に、この床パネル１を支承するための受け金具３を取り付けておき、この梁２と梁２との間に、床パネル１を落とし込むだけでよい。この際、鋼製のアングル材１１と受け金具３との接触に起因する床鳴りを防止するために、受け金具３の上面には、クッション材（図示省略）を付加しておく。この梁２と梁２との間に床パネル１を落とし込んだ後は、ボルトナット１５を取り外すとともに、床下地板１３の表面から釘５を打ちつけて、床下地板１３を梁２に固定することで、床の施工を完了させることができる。この床の施工後は、床下地板１３の上にフローリング材（図示省略）などを貼設して仕上げられる。
【００２４】
この床の施工方法によると、複数枚のＡＬＣ板１２や床下地板１３をひとまとまりの床パネル１として取り扱うので、手間をかけることなく簡単に施工することができる。しかも施工に使用する床パネル１は、アングル材１１とＡＬＣ板１２と床下地板１３とをあらかじめ工場などで所望の寸法で複合一体化したものを使用することができるので、現場において、これらアングル材１１、ＡＬＣ板１２および床下地板１３間の相互のレベル調整などをする必要も無く、精度良く簡単に施工することができる。また、アングル材１１や床下地板１３は、このようにして複合一体化した床パネル１を運搬する際に、ＡＬＣ板１１の角部を保護してＡＬＣ板１１の割れや欠けなどを防止する役割も果たすこととなる。しかもこのようにして得られた床は、ＡＬＣ板１２による優れた遮音性が得られることとなる。
【００２５】
なお、本実施の形態では、２ｍ×４ｍの床パネル１について述べているが、特にこのような大きさの床パネル１に限定されるものではなく、施工する床面の大きさや梁２の割り付けに応じた所望の大きさの床パネル１であってもよい。また、床パネル１を構成するＡＬＣ板１２および床下地板１３の数や大きさについても特に限定されるものではなく、床パネル１の大きさに応じた数および大きさのＡＬＣ板１１および床下地板１３を組み合わせて構成される。
【００２６】
また、本実施の形態において、床パネル１は、梁２と梁２との間に落とし込んで、この梁２に設けた受け金具３上にアングル材１１の部分を載置するようになされており、この受け金具３は、アングル材１１を載置するための載置面３０が形成されたものを、梁２を貫通するボルトナット３１によって固定するようになされているが、図５に示すように、梁２を貫通するボルトナット３１に設けた筒状の受け座金３ａに床パネル１を係止させるようになされたものであってもよい。この場合、床パネル１は、アングル材１１に換えて、略コ字状溝形で下方向に開口し、受け座金３ａの位置に切欠部１０ａを形成するようになされたチャンネル材１０を用いたものが使用される。
【００２７】
また、本実施の形態において、床パネル１は、アングル材１１とＡＬＣ板１２と床下地板１３とを複合一体化して構成されているが、図６に示すような床パネル１ａであってもよい。すなわち、この床パネル１ａは、矩形に枠組みされた枠材１７ａの底面に底板１７ｂが設けられて有底矩形状の枠体１７が形成され、この枠体１７内に廃材１８が充填され、その上面には、枠体１７の周縁にはみ出すように床下地板１３が設けられている。この場合、床パネル１ａは、充分な重量衝撃音に対する遮音性能を得るためには、充分な重量がなければならない。したがって、廃材１８としては、サイディング、石膏ボードなどの比較的比重の大きい材料の廃材を細分化して使用することが好ましい。
【００２８】
さらに、本実施の形態では、床パネル１は、梁２と梁２との間に落とし込んだ後、ボルトナット１５を全て取り外すようになされているが、吊りボルトナット１５ａ以外のボルトナット１５を取り外さなくても良いように、これらボルトナット１５の納まりを考慮したものであってもよい。
【００２９】
【発明の効果】
以上述べたように、本発明によると、複数枚の遮音材と床下地材とをあらかじめ複合一体化した床パネルを、梁と梁との間に落とし込むといった簡単な作業で一挙に施工することができ、従来のように、受け金具にアングル材を設けたり、このアングル材にＡＬＣ板を一枚ずつ敷設したりする手間を省略することができる。また、複数枚の遮音材と床下地材とをあらかじめ複合一体化した床パネルを用いているので、従来のようにＡＬＣ板のレベル調整をした後に床下地材を敷設するといった煩わしさも無く、精度良く簡単に施工することができる。
【図面の簡単な説明】
【図１】（ａ）ないし（ｃ）は本発明に係る床の施工方法を説明する工程図である。
【図２】本発明に係る床パネルの全体構成の概略を示す分解斜視図である。
【図３】（ａ）ないし（ｄ）は本発明に係る床パネルの周縁各部を示す部分断面図、（ｅ）は同床パネルの床下地板の継ぎ目部分の部分断面図である。
【図４】（ａ）は床パネルによる床の施工完了状態を示す部分省略断面図、（ｂ）は同床の施工完了状態を示す部分断面図である。
【図５】（ａ）は他の床パネルによる床の施工完了状態を示す部分省略断面図、（ｂ）は同床の施工完了状態を示す部分断面図である。
【図６】（ａ）はさらに他の床パネルによる床の施工完了状態を示す部分断面図、（ｂ）は同床の施工完了状態を示す部分断面図である。
【図７】（ａ）ないし（ｈ）は従来の床の施工方法を説明する工程図である。
【符号の説明】
１  床パネル
１ａ  床パネル
１０  チャンネル材
１１  アングル材
１２  ＡＬＣ板
１３  床下地板
１４  ビス
１５  ボルトナット
１５ａ  吊りボルトナット
１７  枠体
１７ａ  枠材
１７ｂ  底板
１８  廃材
２  梁
３  受け金具
３ａ  受け座金
５  釘
【図１】
2004150166.tif 000003
【図２】
2004150166.tif 000004
【図３】
2004150166.tif 000005
【図４】
2004150166.tif 000006
【図５】
2004150166.tif 000007
【図６】
2004150166.tif 000008
【図７】
2004150166.tif 000009